(57)【要約】【課題】安価な構成で、しかも簡単且つ迅速に所望の施設を検索できる施設検索装置を提供する。【解決手段】施設情報を記憶する施設データベース３と、施設データベースから施設を検索する施設検索部１１と、施設検索部で検索された施設の施設情報を検索キーとしてネットワーク上に用意されている検索サイトを用いて検索を行うネットワーク検索部１４と、ネットワーク検索部における検索でヒットした件数に基づき施設検索部で検索された施設の人気度を評価する人気度評価部１５と、人気度評価部で評価された人気度が高い施設の施設情報から順に出力する出力部１６とを備えている。【選択図】図２
2009175775.tif 000002
【特許請求の範囲】
【請求項１】
施設情報を記憶する施設データベースと、
前記施設データベースから施設を検索する施設検索部と、
前記施設検索部で検索された施設の施設情報を検索キーとして、ネットワーク上に用意されている検索サイトを用いて検索を行うネットワーク検索部と、
前記ネットワーク検索部における検索でヒットした件数に基づき前記施設検索部で検索された施設の人気度を評価する人気度評価部と、
前記人気度評価部で評価された人気度が高い施設の施設情報から順に出力する出力部
とを備えた施設検索装置。
【請求項２】
ネットワーク上の検索サイトを指定する検索サイト指定部を備え、
ネットワーク検索部は、施設検索部で検索された施設の施設情報を検索キーとして、前記検索サイト指定部から指定された検索サイトを用いて検索を行う
ことを特徴とする請求項１記載の施設検索装置。
【請求項３】
施設検索部で検索された施設の施設情報の中から検索キーとして使用する情報を選択する検索キー選択部を備え、
ネットワーク検索部は、前記検索キー選択部で選択された情報を検索キーとして、ネットワーク上の検索サイトを用いて検索を行う
ことを特徴とする請求項１記載の施設検索装置。
【請求項４】
ネットワーク検索部における検索でヒットしたサイトのＵＲＬを施設関連ＵＲＬとして記憶するＵＲＬ記憶部
を備えたことを特徴とする請求項１記載の施設検索装置。
【請求項５】
人気度評価部で評価された施設の人気度を記憶する人気度記憶部を備え、
前記人気度評価部は、前記人気度記憶部に記憶されている施設の人気度に基づき、前記施設検索部で検索された施設の人気度を評価する
ことを特徴とする請求項１から請求項４のうちのいずれか１項記載の施設検索装置。
【請求項６】
施設情報を記憶する施設データベースと、
前記施設データベースから施設を検索する施設検索部と、
前記施設検索部で検索された施設の施設情報を検索キーとして、ネットワーク上の検索サイトを用いて検索を行うネットワーク検索部と、
前記ネットワーク検索部における検索でヒットした件数に基づき前記施設検索部で検索された施設の人気度を評価する人気度評価部と、
前記人気度評価部で評価された人気度が高い施設の施設情報から順に表示する表示部
とを備えたカーナビゲーションシステム。
【請求項７】
サーバとカーナビゲーション装置とがネットワークで接続されて成るカーナビゲーションシステムであって、
前記サーバは、
施設情報を記憶する施設データベースと、
前記施設データベースから施設を検索する施設検索部と、
前記施設検索部で検索された施設の施設情報を検索キーとして、ネットワーク上の検索サイトを用いて検索を行うネットワーク検索部と、
前記ネットワーク検索部における検索でヒットした件数に基づき前記施設検索部で検索された施設の人気度を評価する人気度評価部と、
前記人気度評価部で評価された人気度を表す情報を、前記ネットワークを介して前記カーナビゲーション装置に送信する送信部とを備え、
前記カーナビゲーション装置は、
前記サーバからの人気度を表す情報を受信する受信部と、
前記受信部で受信された人気度を表す情報に基づき、人気度が高い施設の施設情報から順に表示する表示部
とを備えたカーナビゲーションシステム。
【請求項８】
パーソナルコンピュータとカーナビゲーション装置とから成るカーナビゲーションシステムであって、
前記パーソナルコンピュータは、
施設情報を記憶する施設データベースと、
前記施設データベースから施設を検索する施設検索部と、
前記施設検索部で検索された施設の施設情報を検索キーとして、ネットワーク上の検索サイトを用いて検索を行うネットワーク検索部と、
前記ネットワーク検索部における検索でヒットした件数に基づき前記施設検索部で検索された施設の人気度を評価する人気度評価部と、
前記人気度評価部で評価された人気度を表す情報を記憶媒体に書き込む記憶媒体書込部とを備え、
前記カーナビゲーション装置は、
前記パーソナルコンピュータによって人気度を表す情報が書き込まれた記憶媒体から人気度を表す情報を読み出す記憶媒体読出部と、
前記記憶媒体読出部で読み出した人気度を表す情報に基づき、人気度が高い施設の施設情報から順に表示する表示部
とを備えたカーナビゲーションシステム。
【発明の詳細な説明】
【技術分野】
【０００１】
この発明は、施設を検索する施設検索装置およびこれを用いたカーナビゲーションシステムに関し、特に、人気度が高い施設を検索する技術に関する。
【背景技術】
【０００２】
従来、例えばカーナビゲーション装置に組み込まれ、施設検索を実施できる施設検索装置が知られている。この施設検索装置で施設を検索した場合、検索結果として得られる情報には、施設の名称、電話番号、住所および位置情報しか含まれず、検索された複数の施設からユーザが望む施設を選択することは困難であった。
【０００３】
このような問題を解消するために、特許文献１は、外部の情報網（例えばインターネット等）から所望の施設に関連する情報を簡単に獲得することが可能なナビゲーション装置を開示している。このナビゲーション装置は、画面表示されたリストの中から、いずれかの施設が選択されると、選択された施設を中心とした地図を画面表示する。この画面中に設定された「ＩＮＥＴ」キーが操作されると、選択された施設の施設索引データ中にホームページアドレスが記憶されていれば、プロバイダに電話をかけてインターネットに接続し、施設索引データから読み込んだホームページアドレスを使用して、その施設に関する情報が得られるホームページにアクセスし、その内容を画面表示する。このため、インターネット上でキーワード等によるサーチを行わなくても、所望の施設に関連する詳細な情報を簡単かつ効率よく獲得できる。
【０００４】
また、特許文献２は、なるべく経済的に、最新の施設データベース等を利用できるサーバ通信型ナビゲーションシステムを開示している。このサーバ通信型ナビゲーションシステムは、サーバ装置に移動体装置と同じ構造の施設データベースや目的地検索インデックスを置き、これらに対応するウェブページのアドレスをリンクする。そして、先ず移動体装置のローカルのデータベースを検索し、この検索の結果、必要が生じた場合にサーバ装置のデータベースを検索する。
【０００５】
【特許文献１】特開２０００−１３６９３６号公報
【特許文献２】特開２００１−３０４８７４号公報
【発明の開示】
【発明が解決しようとする課題】
【０００６】
しかしながら、特許文献１に開示されたナビゲーション装置は、施設索引データとしてＵＲＬ（Uniform Resource Locator）を各施設情報の付加情報として持たせる必要があるので、施設情報にホームページ情報が不可欠であり、また、ユーザは複数のホームページにアクセスし、その内容を比較することにより所望の施設を選択する必要があるので、面倒な操作が必要であり時間がかかるという問題がある。
【０００７】
また、特許文献２に開示されたサーバ通信型ナビゲーションシステムは、専用の検索サーバを設置し、端末からアクセスするように構成されているので、サーバの検索システムの構築、設置、維持、管理等を行う必要があり、コストがかかるという問題がある。また、ホームページから住所等の地点情報を抽出したり、その地点情報から精度よく位置を特定したりすることは困難であるという問題がある。
【０００８】
この発明は、上述した問題を解消するためになされたものであり、その課題は、安価な構成で、しかも簡単且つ迅速に所望の施設を検索できる施設検索装置およびこれを用いたカーナビゲーションシステムを提供することにある。
【課題を解決するための手段】
【０００９】
この発明に係る施設検索装置は、上記課題を解決するために、施設情報を記憶する施設データベースと、施設データベースから施設を検索する施設検索部と、施設検索部で検索された施設の施設情報を検索キーとしてネットワーク上に用意されている検索サイトを用いて検索を行うネットワーク検索部と、ネットワーク検索部における検索でヒットした件数に基づき施設検索部で検索された施設の人気度を評価する人気度評価部と、人気度評価部で評価された人気度が高い施設の施設情報から順に出力する出力部とを備えている。
【発明の効果】
【００１０】
この発明によれば、施設情報を記憶した施設データベースから施設を検索し、この検索された施設の施設情報を検索キーとしてネットワーク上に用意されている検索サイトを用いて検索を行い、この検索でヒットした件数に基づき施設の人気度を評価して人気度が高い施設の施設情報から順に出力するように構成したので、インターネット上でのヒット件数が多いことが、人気度が高いことを表していると考えると、従来のように特別なサーバ等を用いることなく、施設データベースから検索された施設を人気度に応じて順序づけて出力することが可能になる。したがって、安価な構成であるにも拘らず、簡単且つ迅速に所望の施設を検索することが可能になる。
【発明を実施するための最良の形態】
【００１１】
以下、この発明の実施の形態を、図面を参照しながら詳細に説明する。
実施の形態１．
図１は、この発明の実施の形態１に係る施設検索装置の構成を示すブロック図である。この施設検索装置は、コントロールユニット１、入力装置２、施設データベース３、バックアップメモリ４、ディスプレイ５および通信装置６から構成されている。この施設検索装置は、インターネット７にアクセス機能を有する。インターネット７は、この発明のネットワークに対応する。
【００１２】
コントロールユニット１は、例えばマイクロコンピュータから構成されており、施設検索装置の全体を制御する。このコントロールユニット１の構成および動作については、後に詳細に説明する。入力装置２は、例えば操作ボタン、タッチパネル、リモートコントローラ、音声入力装置（音声認識装置）等から構成されており、施設検索装置に対して、例えば施設検索の対象とする地点の指示や、検索サイトの指定等を与えるために使用される。この入力装置２から入力されたデータはコントロールユニット１に送られる。
【００１３】
施設データベース３は、例えばＨＤＤ（Hard Disk Drive）、ＣＤ（Compact Disc）、ＤＶＤ（Digital Versatile Disc）といった記憶媒体に構築されており、店舗や観光スポットなどといった施設の詳細を表す施設情報を記憶している。施設情報には、例えば、施設の名称、電話番号、住所、位置、ジャンル等を表すデータが含まれる。この施設データベース３に記憶されている施設情報は、コントロールユニット１によって読み出される。
【００１４】
バックアップメモリ４は、不揮発性メモリや電源バックアップされた揮発性メモリから構成されており、人気度記憶部４ａとＵＲＬ記憶部４ｂとを有する（図２参照）。人気度記憶部４ａは、施設の人気度を表すスコアを記憶する。ＵＲＬ記憶部４ｂは、詳細は後述するが、コントロールユニット１がインターネット７上で検索を行った際に得られた上位の数件、例えば５件のサイトのＵＲＬを、施設関連ＵＲＬとして記憶する。これら人気度記憶部４ａおよびＵＲＬ記憶部４ｂは、コントロールユニット１によってリード／ライトされる。
【００１５】
ディスプレイ５は、例えば液晶ディスプレイ装置やＣＲＴディスプレイ装置から構成されており、この発明の表示部の一部に対応する。このディスプレイ５は、コントロールユニット１から送られてくる表示データにしたがって、種々の情報、例えば検索された施設情報を表示する。通信装置６は、施設検索装置をインターネット７に接続し、インターネット７上のサイトにアクセスする制御を行う。
【００１６】
次に、コントロールユニット１の詳細を説明する。図２は、コントロールユニット１の機能的な構成を示すブロック図である。このコントロールユニット１は、施設検索部１１、検索キー選択部１２、検索サイト指定部１３、ネットワーク検索部１４、人気度評価部１５および出力部１６から構成されている。
【００１７】
施設検索部１１は、入力装置２から指定された地点の周辺に存在する施設を、施設データベースから検索する。この施設検索部１１で検索された施設の施設情報は、検索キー選択部１２および人気度評価部１５に送られる。
【００１８】
検索キー選択部１２は、入力装置２からの指示に従って、施設検索部１１で検索された施設の施設情報の中から、インターネット７上で検索を行う際の「検索キー」として使用する情報を選択する。検索キーとしては、図３に示すように、「施設名称のみ」、「施設名称＋電話番号」、「施設名称＋ジャンル」、「施設名称＋電話番号＋ジャンル」といった４種類が用意されている。なお、検索キーは、上記の組み合わせに加えて、施設の住所、位置、ホームページのＵＲＬ、周辺に存在する施設等を単独で、または組み合わせて用いることもできる。この検索キー選択部１２において選択された検索キーは、ネットワーク検索部１４に送られる。
【００１９】
検索サイト指定部１３は、入力装置２からの指示に従って、検索に用いるインターネット上の「検索サイト」を指定する。インターネット上の検索サイトとして、例えば図４に示すように、あらかじめ複数の検索サイトが用意されているので、ユーザは、入力装置２から検索に用いる所望の検索サイトを指定する。これにより、検索サイト指定部１３は、入力装置２から指定された検索サイトを示すＵＲＬをネットワーク検索部１４に送る。なお、図４において、ＵＲＬ欄は、検索サイトのＵＲＬを示す。また、全件数キーワード欄は、各検索サイトで取得できる情報を示し、黒三角は検索キーを、黒丸は、検索された件数をそれぞれ示している。
【００２０】
ネットワーク検索部１４は、通信装置６を介してインターネット７にアクセスすることにより、検索サイト指定部１３で指定された検索サイト上で、検索キー選択部１２から送られてくる検索キーが含まれるサイトを検索する。このネットワーク検索部１４においてヒットしたサイトの件数（ヒット件数）は、人気度評価部１５に送られる。また、ネットワーク検索部１４は、ヒットしたサイトのうち、上位の５件のサイトのＵＲＬを、施設関連ＵＲＬとしてＵＲＬ記憶部４ｂに格納する。例えば、図５に示すように、「アンティーク・デル・ポンテ」という検索キーで検索することにより得られたＵＲＬのうち、上位５件のＵＲＬがＵＲＬ記憶部４ｂに記憶される。このＵＲＬ記憶部４ｂに記憶されたＵＲＬは、ユーザが所定の操作を行うことによりディスプレイ５に表示される。したがって、ユーザは、施設の詳細を知りたい場合は、ディスプレイ５に表示されたサイトにアクセスすることにより施設の詳細を知ることができる。
【００２１】
人気度評価部１５は、ネットワーク検索部１４から送られてくるヒット件数に基づき、施設検索部１１から送られてくる施設の人気度を評価する。具体的には、ネットワーク検索部１４から送られてくるヒット件数をスコアとして出力部１６に送るとともに、人気度記憶部４ａに記憶する。図６は、人気度記憶部４ａに記憶されるデータの例を示す図であり、各施設名称に対して、検索キー毎に、スコアと実施日が記憶される。
【００２２】
出力部１６は、この発明の表示部の一部に対応し、人気度評価部１５で評価された人気度が高い施設の施設情報から順に、換言すれば、スコアが大きい順になるように施設情報をソートしてディスプレイ５に送る。これにより、ディスプレイ５に、例えば図７に示すように、スコアが大きい施設から順番に、施設の方向、施設までの距離、施設の名称およびスコアがソートされて表示される。
【００２３】
次に、上記のように構成される、この発明の実施の形態１に係る施設検索装置の動作を、図８および図９に示すフローチャートを参照しながら説明する。
【００２４】
まず、ある地点の周辺（例えば１〜数Ｋｍ以内）に存在する施設を検索する周辺施設検索処理を、図８に示すフローチャートを参照しながら説明する。周辺施設検索処理では、まず、周辺検索が実行される（ステップＳＴ１１）。すなわち、コントロールユニット１内の施設検索部１１は、入力装置２から指定された地点の周辺に存在する施設を、施設データベース３から検索する。この検索により得られた施設情報は、検索キー選択部１２および人気度評価部１５に送られる。
【００２５】
次いで、ステップＳＴ１１における検索によって得られた複数の施設の施設情報のうち、先頭の１つが取り出される（ステップＳＴ１２）。すなわち、検索キー選択部１２は、施設検索部１１で検索された施設の施設情報の中から１つを取り出し、入力装置２からの指示に従って、インターネット７を検索する際に用いる検索キーを選択し、ネットワーク検索部１４に送る。
【００２６】
次いで、ステップＳＴ１２で取得した施設情報に対する人気度評価処理が実行される（ステップＳＴ１３）。この人気度評価処理においては、詳細は後述するが、人気度評価部１５は、その施設情報を有する施設の人気度を表すスコアを取得する。次いで、ステップＳＴ１３で得られた人気度の評価結果を表すスコアが保存される（ステップＳＴ１４）。すなわち、人気度評価部１５は、スコアを施設情報に関連付けて人気度記憶部４ａに保存するとともに、出力部１６に送る。
【００２７】
次いで、ステップＳＴ１１における検索によって得られたすべての施設に対する処理が完了したかどうかが調べられる（ステップＳＴ１５）。このステップＳＴ１５において、すべての施設に対する処理が完了していないことが判断されると、次の施設の施設情報が取り出される（ステップＳＴ１６）。その後、シーケンスはステップＳＴ１３に進み、上述した処理が繰り返される。
【００２８】
上記ステップＳＴ１５において、すべての施設に対する処理が完了したことが判断されると、ステップＳＴ１３〜ＳＴ１５の繰り返し処理によって得られた人気度評価のスコアの順に施設情報がソートされる（ステップＳＴ１７）。すなわち、出力部１６は、スコアが大きい順になるように施設情報をソートしてディスプレイ５に送る。次いで、ソートされた検索結果が一覧表示される（ステップＳＴ１８）。すなわち、ステップＳＴ１７においてソートされた施設情報がディスプレイ５に、例えば図７に示すような形式で一覧表示される。以上により、周辺施設検索処理は完了する。
【００２９】
次に、上記ステップＳＴ１３で行われる人気度評価処理の詳細を、図９に示すフローチャートを参照しながら説明する。人気度評価処理では、まず、ステップＳＴ１２またはＳＴ１６で取得された施設情報を有する施設のスコアが、バックアップされているかどうかが調べられる（ステップＳＴ２１）。すなわち、人気度評価部１５は、現在処理中の施設と同一の施設のスコアが、バックアップメモリ４の人気度記憶部４ａに格納されているかどうかを調べる。
【００３０】
このステップＳＴ２１において、バックアップされていることが判断されると、次いで、前回の評価実施時期が６ヶ月以内であるかどうかが調べられる（ステップＳＴ２７）。すなわち、人気度評価部１５は、人気度記憶部４ａに記憶されているデータから実施日を取得し、その実施日の日時が、図示しない時計機構から取得した現在時刻から６ヶ月以内であるかどうかを調べる。このステップＳＴ２７において、６ヶ月以内であることが判断されると、バックアップされたデータは比較的新しい旨が認識され、そのスコアが施設のスコアとして使用される（ステップＳＴ２８）。その後、人気度評価処理は終了し、周辺施設検索処理（図８）にリターンする。
【００３１】
上記ステップＳＴ２１において、パックアップされていないことが判断された場合、および、ステップＳＴ２７において、前回の評価実施時期が６ヶ月以内でないことが判断された場合は、シーケンスはステップＳＴ２２に進み、新たにスコアを算出する処理が行われる。すなわち、施設情報を検索キーとしてインターネット７上で検索が実行される（ステップＳＴ２２）。すなわち、ネットワーク検索部１４は、通信装置６を介してインターネット７にアクセスすることにより、検索サイト指定部１３で指定された検索サイト上で、検索キー選択部１２から送られてくる検索キーを用いて検索を行う。より具体的には、ネットワーク検索部１４は、図４に示すような複数の検索サイトの中から、検索サイト指定部１３で設定された検索サイトのＵＲＬに対し、検索キーを埋め込む形でＨＴＴＰ（Hyper Text Transfer Protocol）リクエストを送信することによりインターネット７の検索を実施する。
【００３２】
次いで、検索結果からヒット件数が抽出される（ステップＳＴ２３）。すなわち、ネットワーク検索部１４は、インターネット７を検索することにより得られたＨＴＭＬ（Hyper Text Markup Language）情報から、図４に示す各検索サイトの全件数キーワードを検索し、送信した検索キーに対する全ヒット件数を抽出する。次いで、検索結果として得られた上位５件のＵＲＬが保持される（ステップＳＴ２４）。すなわち、ネットワーク検索部１４は、検索結果として得られた上位５件のＵＲＬを抽出し、施設関連ＵＲＬとしてＵＲＬ記憶部４ｂに格納する。
【００３３】
次いで、ステップＳＴ２３で抽出された、検索のヒット件数がスコアとされる（ステップＳＴ２５）。その後、スコアがバックアップされる（ステップＳＴ２６）。すなわち、人気度評価部１５は、ステップＳＴ２６で得られたスコアをバックアップメモリ４の人気度記憶部４ａに記憶する。以上により、人気度評価処理は終了し、周辺施設検索処理（図８）にリターンする。
【００３４】
以上説明したように、この発明の実施の形態１に係る施設検索装置によれば、施設情報を記憶した施設データベース３から施設を検索し、この検索された施設の施設情報を検索キーとしてインターネット７上に用意されている検索サイトを用いて検索を行い、この検索でヒットした件数に基づき施設の人気度を評価して人気度が高い施設の施設情報から順に出力するように構成したので、インターネット７上でのヒット件数が多いことが、人気度が高いことを表していると考えると、従来のように特別なサーバ等を用いることなく、施設データベース３から検索された施設を人気度に応じて順序づけて出力することが可能になる。したがって、安価な構成であるにも拘らず、簡単且つ迅速に所望の施設を検索することが可能になる。インターネット７を用いて人気度を評価するように構成したので、ある程度リアルタイムな評価が可能になる。
【００３５】
また、施設データベース３から検索された施設の施設情報を検索キーとして、ユーザによって指定されたインターネット７上の検索サイトを用いて検索を行うように構成したので、ユーザは好みの検索サイトにおける検索結果を使用することが可能になる。
【００３６】
また、施設データベースから検索された施設の施設情報の中から検索キーとして使用する情報を選択し、この選択された情報を検索キーとして、ネットワーク上の検索サイトを用いて検索を行うように構成したので、人気度の評価の基準をチューニングすることが可能になる。例えば、検索キーとして「施設名称」のみよりも「施設名称＋電話番号」の方が施設をより厳密に特定できる。
【００３７】
また、ネットワーク検索部における検索でヒットしたサイトのＵＲＬを、例えば図５に示すように、施設関連ＵＲＬとしてＵＲＬ記憶部４ｂに記憶するように構成したので、ユーザは、ＵＲＬ記憶部４ｂに記憶されているＵＲＬを選択することにより、所望の施設に関連するサイトのページを表示することができる。その結果、ユーザは所望の施設の詳細情報を確認することが容易になる。このように、代表的なページを簡単に閲覧できるようにすることで、その施設がどのような評価を受けているのかを詳細に知ることができ、ユーザの利便性が向上する。
【００３８】
また、施設の評価を行った場合に、その施設の人気度を人気度記憶部４ａに記憶しておき、次回の施設を行う場合に、人気度記憶部４ａに記憶されている人気度を用いるように構成したので、インターネット７にアクセスする頻度を減らすことができる。その結果、通信費用の抑制、検索時間の短縮が可能になる。
【００３９】
なお、上述した実施の形態１に係る施設検索装置では、ある地点周辺の施設を検索した際に得られる各施設を評価する例について説明したが、必ずしも地点周辺の検索である必要はなく、地域やジャンル、名称などを用いた各種施設検索の結果として得られた施設の評価手法として使用することもできる。
【００４０】
また、上述した実施の形態１に係る施設検索装置は、例えば、カーナビゲーション装置、携帯電話、ＰＤＡ（Personal Digital Assistant）、パーソナルコンピュータといった、インターネットへのアクセス機能を有する種々の端末に適用することができる。
【００４１】
実施の形態２．
この発明の実施の形態２は、実施の形態１で説明した施設検索装置をサーバに適用し、このサーバとカーナビゲーション装置とでカーナビゲーションシステムを構成したものである。図１０は、この発明の実施の形態２に係るカーナビゲーションシステムの構成を示す図である。このカーナビゲーションシステムは、サーバ１００とカーナビゲーション装置２００とから構成されている。
【００４２】
サーバ１００は、図１に示した実施の形態１に係る施設検索装置と同じ構成を有する。また、サーバ１００の動作は、下記の点を除き、実施の形態１に係る施設検索装置と同じである。すなわち、サーバ１００は、自己が保持している全施設の施設情報に対する人気度をあらかじめ取得して保持しておき、カーナビゲーション装置２００からインターネット７を介して送られてくる施設情報の取得要求に応じて、スコアが大きい順になるようにソートされた施設情報を、通信装置６およびインターネット７を介してカーナビゲーション装置２００に送る。この場合、通信装置６は、この発明の送信部に対応する。
【００４３】
カーナビゲーション装置２００は、通信装置２０１を備えており、この通信装置２０１およびインターネット７を介してサーバ１００に、検索対象とする地点を指定して施設情報の取得を要求する。通信装置２０１は、この発明の受信部に対応する。カーナビゲーション装置２００は、施設情報の取得の要求に応答して、サーバ１００からインターネット７を介して送られてくる、スコアが大きい順になるようにソートされた施設情報を受け取り、図示しないモニタに表示する。このモニタは、この発明の表示部に対応する。
【００４４】
以上説明したように、この発明の実施の形態２に係るカーナビゲーションシステムによれば、サーバ１００は、インターネット７を検索することにより、自己が保持している全施設の施設情報に対する人気度をあらかじめ取得しておき、カーナビゲーション装置２００は、サーバ１００からインターネット７を介して、人気度が付加された施設情報を取得して表示することができる。したがって、カーナビゲーション装置２００において、簡単な構成であるにも拘らず、人気度を考慮した施設検索を行うことができる。
【００４５】
実施の形態３．
この発明の実施の形態３は、実施の形態１で説明した施設検索装置をパーソナルコンピュータに適用し、このパーソナルコンピュータとカーナビゲーション装置とでカーナビゲーションシステムを構成したものである。図１１は、この発明の実施の形態３に係るカーナビゲーションシステムの構成を示す図である。このカーナビゲーションシステムは、パーソナルコンピュータ３００とカーナビゲーション装置２００とから構成されている。
【００４６】
パーソナルコンピュータ３００は、図１に示した実施の形態１に係る施設検索装置に記憶媒体アクセス装置８が追加されて構成されている。記憶媒体アクセス装置８は、この発明の記憶媒体書込部に対応し、コントロールユニット１から送られてくる、スコアが大きい順になるようにソートされた施設情報を、該記憶媒体アクセス装置８に装着された記憶媒体４００に書き込む。記憶媒体４００は、例えばＣＤ−ＲＯＭや半導体メモリから構成されている。
【００４７】
カーナビゲーション装置２００は、記憶媒体アクセス装置２０２を備えている。記憶媒体アクセス装置２０２は、この発明の記憶媒体読出部に対応する。カーナビゲーション装置２００は、記憶媒体アクセス装置２０２に装着された記憶媒体４００から、スコアが大きい順になるようにソートされた施設情報を読み取り、図示しないモニタに表示する。このモニタは、この発明の表示部に対応する。
【００４８】
以上説明したように、この発明の実施の形態３に係るカーナビゲーションシステムによれば、パーソナルコンピュータ３００は、インターネット７を検索することにより、自己が保持している全施設の施設情報に対する人気度を取得して記憶媒体４００に書き込んでおき、カーナビゲーション装置２００は、記憶媒体４００から、人気度が付加された施設情報を取得して表示することができる。したがって、カーナビゲーション装置２００において、簡単な構成であるにも拘らず、人気度を考慮した施設検索を行うことができる。
【図面の簡単な説明】
【００４９】
【図１】この発明の実施の形態１に係る施設検索装置の構成を示すブロック図である。
【図２】この発明の実施の形態１に係る施設検索装置に含まれるコントロールユニットの機能的な構成を示すブロック図である。
【図３】この発明の実施の形態１に係る施設検索装置で使用される検索キーを説明するための図である。
【図４】この発明の実施の形態１に係る施設検索装置で使用される検索サイトを説明するための図である。
【図５】この発明の実施の形態１に係る施設検索装置で使用される施設関連ＵＲＬを説明するための図である。
【図６】この発明の実施の形態１に係る施設検索装置で人気度記憶部に格納される、スコアを含むデータを説明するための図である。
【図７】この発明の実施の形態１に係る施設検索装置における検索結果の表示例を示す図である。
【図８】この発明の実施の形態１に係る施設検索装置の動作を示すフローチャートである。
【図９】図８のステップＳＴ１３で行われる人気度評価処理の詳細を示すフローチャートである。
【図１０】この発明の実施の形態２に係るカーナビゲーションシステムの構成を示す図である。
【図１１】この発明の実施の形態３に係るカーナビゲーションシステムの構成を示す図である。
【符号の説明】
【００５０】
１  コントロールユニット、２  入力装置、３  施設データベース、４  バックアップメモリ、４ａ  人気度記憶部、４ｂ  ＵＲＬ記憶部、５  ディスプレイ、６  通信装置、７  インターネット、８  記憶媒体アクセス装置、１１  施設検索部、１２  検索キー選択部、１３  検索サイト指定部、１４  ネットワーク検索部、１５  人気度評価部、１６  出力部、１００  サーバ、２００  カーナビゲーション装置、２０１  通信装置、２０２  記憶媒体アクセス装置、３００  パーソナルコンピュータ、４００  記憶媒体。
【図１】
2009175775.tif 000003
【図２】
2009175775.tif 000004
【図３】
2009175775.tif 000005
【図４】
2009175775.tif 000006
【図５】
2009175775.tif 000007
【図６】
2009175775.tif 000008
【図７】
2009175775.tif 000009
【図８】
2009175775.tif 000010
【図９】
2009175775.tif 000011
【図１０】
2009175775.tif 000012
【図１１】
2009175775.tif 000013